(57)【特許請求の範囲】
【請求項１】
複数の太径線と、複数の中径線と、複数の細径線で構成された外層を有し、
隣接する太径線間に１本の中径線と、１本の細径線を配設するとともに、中径線の内側に細径線を配設し、この細径線を前記中径線に当接させ、
前記細径線の直径は、前記中径線の直径よりも小さく、前記中径線の直径は、前記太径線の直径よりも小さくしたことを特徴とする撚線導体。
【請求項２】
前記太径線の直径を、前記中径線の直径と、前記細径線の直径の和と同じに設定したことを特徴とする請求項１記載の撚線導体。
【請求項３】
前記撚線導体の中心から、前記外層を構成する中径線の最縁端までの距離と、前記中心から、前記外層を構成する太径線の最縁端までの距離とが、同一であることを特徴とする
請求項１又は２記載の撚線導体。
【請求項４】
前記太径線の本数が、３本以上であることを特徴とする請求項１乃至３のいずれか１項に記載の撚線導体。
【発明の詳細な説明】
【技術分野】
【０００１】
本発明は、撚線導体に関するものである。
【０００２】
従来、電線等に使用される撚線導体を構成する各々の素線は、一般的に、全て断面円形の丸線で、かつ、同一径である。該素線として銅線が主として用いられ、その銅線に、錫、ニッケル、銀、或いはアルミ、各種合金をメッキしたものが使用されている。
【０００３】
例えば、１９本の素線で構成される撚線導体は、一般的に、図７に示すように、撚線導体１０１における中心の１本の素線１０２を核として、その周囲を６本の素線１０３が覆い囲んで内層を形成し、更に、その外周を１２本の素線１０４が覆い囲んで外層を形成し、それを同一方向に撚ることで形成されている。
【０００４】
素線１０２、１０３、１０４が全て、断面円形で、かつ、同一径であることから、素線１０２、１０３、１０４を標準心線配列で配列して撚線導体１０１を形成すると、その外周形状は図７に示すように、六角形状に近似した形状となり、丸形状に近似した形状とはならない。以下、これを従来技術１とする。
【０００５】
撚線導体１０１は、一般的に図７に示すように、外周部に絶縁材１０６を被覆した後に、電線等（被覆線）として使用される。被覆線の断面形状は、略真円形状であることが望まれている。一方、絶縁材１０６は、耐圧特性の点から撚線導体１０１の外周部に略均一に被覆されることが望ましい。したがって、撚線導体の断面形状は真円であることが望まれている。
【０００６】
また、石油を主成分とする絶縁材１０６の減量化は、資源の有効利用の観点からも大変重要であり、撚線導体の細径化が要求されている。
【０００７】
しかし、撚線導体１０１の断面形状が六角形で、かつ、被覆線の断面形状を真円とすると、撚線導体１０１の断面形状が六角形の頂点部の近傍に位置する絶縁材１０６の厚みは薄く、六角形の頂点部から辺部に至るほど厚くなり、絶縁材１０６の厚みが不均一となるという問題点が生じる。また、耐圧不良を防止するためには、前記六角形の頂点部に位置する絶縁材１０６の厚みを一定以上確保する必要がある。そのため、撚線導体１０１の中心からその最縁端までの径よりも被覆線を細くすることができず、被覆線の細径化、軽量化には限界があるという問題点がある。
【０００８】
また、辺部に位置する絶縁材１０６は、性能の観点からは過剰であるが、断面を真円とするためには必要であるため、絶縁材１０６の減量化にも限界が生じるという問題点がある。
【０００９】
また、撚線導体１０１の断面形状が六角形であると、被覆線を端末加工する時等において、被覆材１０６をストリップする際に撚線導体１０１を傷つける虞があるという問題点がある。
【００１０】
上記の問題点は、撚線導体の断面形状を略真円とすることで解決することができる。
【００１１】
この解決手段として、例えば、特許文献１記載のように、断面円形で、かつ、全て同一径の素線２０２を、一方向に撚りながら圧縮ダイスを通すことにより、図８に示すように、撚線導体２０１の断面形状を略真円とする方法が提案されている。以下、従来技術２とする。
【特許文献１】特開平１１−２５７５８号公報
【発明の概要】
【発明が解決しようとする課題】
【００１２】
上記、従来技術２の撚線導体２０１は、素線２０２を圧縮ダイスに通す時に、外層素線２０２が、圧縮変形されることにより、のび特性、柔軟性、可とう性等の物理特性が損なわれるという問題点がある。
【００１３】
また、従来技術２の撚線導体２０１は、一方向に撚りながら圧縮ダイスを通す必要があるため、従来技術１の撚線導体１０１と比較して、圧縮ダイスが余分に必要であり、この圧縮ダイスは撚線導体２０１の製造時に摩耗損傷が生じるため、定期交換が必要でありコストが高くなるという問題点がある。
【００１４】
また、圧縮後の撚線２０１を略真円状にするためには、製造機械（撚線機）の回転数を一定値以下にし、かつ、回転数を安定させる必要があるため、従来技術１の撚線導体１０１よりも生産効率が悪くなるという問題点もある。
【００１５】
そこで、本発明は、圧縮することなく、若しくは、上記従来技術２よりも低い圧縮率で素線を圧縮加工することで、撚線導体の断面形状をより真円形状に近い形状とすることができる撚線導体を提供することを目的とするものである。
【課題を解決するための手段】
【００１６】
前記の課題を解決するために、請求項１記載の発明は、複数の太径線と、複数の中径線と、複数の細径線で構成された外層を有し、
隣接する太径線間に１本の中径線と、１本の細径線を配設するとともに、中径線の内側に細径線を配設し、この細径線を前記中径線に当接させ、
前記細径線の直径は、前記中径線の直径よりも小さく、前記中径線の直径は、前記太径線の直径よりも小さくしたことを特徴とするものである。
【００１７】
請求項２記載の発明は、請求項１記載の発明において、前前記太径線の直径を、前記中径線の直径と、前記細径線の直径の和と同じに設定したことを特徴とするものである。
【００１８】
請求項３記載の発明は、請求項１又は２記載の発明において、前記撚線導体の中心から、前記外層を構成する中径線の最縁端までの距離と、前記中心から、前記外層を構成する太径線の最縁端までの距離とが、同一であることを特徴とするものである。
【００１９】
請求項４記載の発明は、請求項１乃至３のいずれか１項に記載の発明において、前記太径線の本数が、３本以上であることを特徴とするものである。
【発明の効果】
【００２０】
本発明によれば、複数の太径線と、複数の中径線と、複数の細径線で構成された外層を有し、隣接する太径線間に１本の中径線と、１本の細径線を配設するとともに、中径線の内側に細径線を配設したことにより、撚線導体の断面形状は略真円形状とし、かつ、撚線導体を構成する各素線が隣接する全ての素線と当接することができ、撚線導体の細径化、軽量化、柔軟性の向上を図ることができる。 
【００２１】
また、本発明の撚線導体は、従来技術２の撚線導体２０１のように、素線を圧縮ダイスに通すことなく、撚線導体の外形を略真円形状とすることができるために、のび特性、柔軟性、可とう性等の物理特性を損うことなく、素線の物理特性を維持することができ、信頼性の高い品質を得ることができ、自動車用電線分野や、音響電線分野等において有効に活用することができる。
【図面の簡単な説明】
【００２２】
【図１】本発明の実施例１に係る撚線導体の横断面図。
【図２】本発明の実施例３に係る撚線導体の一例を示す横断面図。
【図３】本発明の実施例３に係る撚線導体の他例を示す横断面図。
【図４】本発明の実施例４に係る撚線導体の一例を示す横断面図。
【図５】本発明の実施例４に係る撚線導体の他例を示す横断面図。
【図６】本発明の実施例４に係る撚線導体の他例を示す横断面図。
【図７】従来技術１の撚線導体の横断面図。
【図８】従来技術２の撚線導体の横断面図。
【発明を実施するための形態】
【００２３】
本発明を実施するための形態を図に基づいて説明する。
【００２４】
［実施例１］
図１は、本発明の実施例１に係る撚線導体１の軸方向と直交する方向に切断した断面図で、その各素線の断面を示す斜線は、図の煩雑を避けるために省略した。
【００２５】
撚線導体１は、内層２と、内層２の外側に設けられた外層３を有する。内層２は、１本の中心線（素線）１１で構成されている。
【００２６】
外層３は、図１に示すように、６本の太径線（素線）１２と、６本の中径線（素線）１３と、６本の細径線（素線）１４の計１８本の素線１２，１３，１４で中心線１１を覆い囲むように構成されている。太径線１２を、適宜間隔を有して周方向に配置して、周方向に隣り合う太径線１２と１２間に、１本の中径線１３と１本の細径線１４を配置するとともに、径方向の外側に中径線１３が、内側に細径線１４が位置するように設けられている。
【００２７】
太径線１２は、内側に位置する中心線１１と当接するとともに、周方向において隣接する中径線１３と細径線１４と当接するようになっている。
【００２８】
中径線１３は、周方向において隣接する太径線１２に当接するとともに、内側に位置する細径線１４と当接するようになっている。
【００２９】
細径線１４は、周方向において隣接する太径線１２に当接するとともに、外側に位置する中径線１３と当接するようになっている。
【００３０】
図１に示すように、中心線１１、中径線１３、細径線１４の各中心が、略同一線上に位置するように設けられている。
【００３１】
各素線１１，１２，１３，１４の基となる線材としては、裸銅線、無酸素銅線、線形結晶無酸素銅線、単結晶状高純度無酸素銅線等の銅線、この銅線に、錫、ニッケル、銀等をメッキしたもの、アルミ線、各種合金線、及び、エナメル線、リッツ線、ホルマル線等の絶縁被覆されたもの等を使用することができる。各素線１１，１２，１３，１４の素材は、同じ素材を用いてもよいし、異なる素材を用いてもよい。
【００３２】
中心線１１の基となる線材の直径ｄ１は、太径線１２の基となる線材の直径ｄ２より大きく設定され、太径線１２の基となる線材の直径ｄ２は、中径線１３の基となる線材の直径ｄ３より大きく設定され、中径線１３の基となる線材の直径ｄ３は、細径線１４の基となる線材の直径ｄ４より大きく設定されている。
【００３３】
また、太径線１２の基となる線材の直径ｄ２は、中径線１３の基となる線材の直径ｄ３と、細径線１４の基となる線材の直径ｄ４との和と略同じになるように設定されている。
【００３４】
本実施例１では、ｄ１＝１．７９７ｄ２、ｄ３＝０．５８２×ｄ２、ｄ４＝０．４１８×ｄ２の関係が成立する各素線１１，１２，１３，１４の基となる線材を用いた。
【００３５】
また、撚線導体１の断面形状が、略真円形状、つまり、中心線１１の中心Ａから太径線１２の最外縁端Ｂまでの距離Ｌ１と、中心線１１の中心Ａから中径線１３の最外縁端Ｃまでの距離Ｌ２が同一となるように形成されている。
【００３６】
本願発明の撚線導体１は、上記の構造を有しているために、次のような作用、効果を奏する。
【００３７】
撚線導体１の断面形状は略真円形状とし、かつ、素線１１，１２，１３，１４が隣接する全ての素線１１，１２，１３，１４に当接することができるために、撚形態が安定するとともに撚線導体１の導体密度を高くすることができ、撚線導体１の細径化、軽量化、柔軟性の向上を図ることができる。
【００３８】
撚線導体１の外形が略真円形状で、かつ、上述のように、従来技術１の撚線導体１０１よりも細径化できることにより、絶縁材の被覆の厚みを薄くでき、かつ、略均一化することができるため、絶縁材を減量でき、コストを低減することができる。
【００３９】
また、撚線導体１は、従来技術２の撚線導体２０１のように、素線を圧縮ダイスに通すことなく、撚線導体１の外形を略真円形状とすることができるために、のび特性、柔軟性、可とう性等の物理特性が損うことがなく、素線の物理特性を維持することができ、信頼性の高い品質を得ることができ、自動車用電線分野や、音響電線分野等において有効に活用することができる。
【００４０】
また、上記のように、内層２を真円状の１本の中心線１１で構成されているが、外層３を構成する太径線１２と細径線１４は、中心線１１といずれも当接するとともに、中径線１３が、太径線１２より内側に位置することなく、外層３を真円形状とすることができ、平滑性を損なうことがない。
【００４１】
［実施例２］
前記実施例１の撚線導体１を構成する素線は、太径線１２の基となる線材の直径ｄ２は、中径線１３の基となる線材の直径ｄ３より大きく設定され、中径線１３の基となる線材の直径ｄ３は、細径線１４の基となる線材の直径ｄ４より大きく設定されていれば、上記実施例１に記載の線材以外にも任意の線材に設定することができる。また、その外層３の外周部から圧縮ダイス等により、圧縮してもよい。
【００４２】
この圧縮により、外層３を形成する素線１２，１３の外周部は、圧縮変形され、撚線導体の外形形状をより真円形状に近づけることができる。圧縮ダイス等による圧縮は、撚線導体１を製造する際に行っても良いし、撚線導体１を製造した後に行っても良い。なお、圧縮率に関しては、任意に設定する。  その他の構造は、上記実施例１と同様であるため説明を省略する。
【００４３】
本実施例２においても、上記実施例１と同様の作用効果を発揮することができる。
【００４４】
［実施例３］
上記実施例１，２においては、外層３を構成する太径線１２の本数と、中径線１３の本数と、細径線１４の本数は、全て同じ本数の６本に設定したが、外層３を構成する太径線１２の本数と、中径線１３の本数と、細径線１４の本数が同じ本数で、かつ、３本以上であれば任意の本数に設定することができる。
【００４５】
例えば、図２に示すように、外層３を構成する太径線１２の本数と、中径線１３の本数と、細径線１４の本数を、全て３本とした撚線導体２１の場合には、ｄ１＝０．５２×ｄ２、ｄ３＝０．６８４×ｄ２、ｄ４＝０．３１６×ｄ２の関係が成立する各素線１１，１２，１３，１４の基となる線材を用いることで、非圧縮若しくは低い圧縮率で、撚線導体２１の断面形状を略真円形状とするとともに、全ての素線１１，１２，１３，１４が隣接する全ての素線１１，１２，１３，１４と当接することができる。
【００４６】
例えば、図３に示すように、外層３を構成する太径線１２の本数と、中径線１３の本数と、細径線１４の本数を、全て８本とした撚線導体２２の場合には、ｄ１＝２．６８８×ｄ２、ｄ３＝０．５７１×ｄ２、ｄ４＝０．４２９×ｄ２の関係が成立する各素線１１，１２，１３，１４の基となる線材を用いることで、非圧縮若しくは低い圧縮率で、撚線導体２２の断面形状を略真円形状とするとともに、全ての素線１１，１２，１３，１４が隣接する全ての素線１１，１２，１３，１４と当接することができる。
【００４７】
その他の構造は、上記実施例１，２と同様であるため説明を省略する。
【００４８】
本実施例３においても、上記実施例１，２と同様の作用効果を発揮することができる。
【００４９】
本実施例３においては、更に、３本以上の太径線１２、中径線１３、細径線１４で外層３を構成することができるため、撚線導体１，２１，２２を設計する際の自由度が高く、細径撚線導体から太径撚線導体と広範な導体面積を必要とするものに適用することができる。
【００５０】
［実施例４］
上記実施例１〜３においては、内層２を１心の中心線１１で構成したが、内層は、２層以上の複数層で構成しても良いし、内層を構成する素線は、１種類で構成してもよいし、直径の異なる複数種類で構成してもよい。また、内層２を形成する素線として、銅線、この銅線に、錫、ニッケル、銀等をメッキしたもの、アルミ線、各種合金線、及び、エナメル線、ホルマル線等の絶縁被覆されたもの等を使用することができ、外層を形成する素線と同じ材質を用いてもよいし、異なる材質のものを用いてもよい。
【００５１】
例えば、図４に示すように、外層３を構成する太径線１２の本数と、中径線１３の本数と、細径線１４の本数を、全て同じ本数の６本で外層３を構成し、１本の中心線３１と、中心線３１を覆うように、中心線３１より細く、かつ、同じ直径からなる１２本の素線３２を配設した第１内層３３の２層で内層３４を構成して、撚線導体３５としてもよい。
【００５２】
また、図５に示すように、外層３を構成する太径線１２の本数と、中径線１３の本数と、細径線１４の本数を、全て同じ本数の６本で外層３を構成し、１本の中心線４１と、中心線４１を覆うように、中心線４１と同じ直径からなる６本の素線４２を配設した第１内層４３との２層で内層４４を構成して、撚線導体４５としてもよい。
【００５３】
また、図６に示すように、外層３を構成する太径線１２の本数と、中径線１３の本数と、細径線１４の本数を、全て同じ本数の８本で外層３を構成し、１本の中心線５１と、中心線５１を覆うように、中心線５１より細く、かつ、同じ直径からなる８本の素線５２を配設した第１内層５３との２層で内層５４を構成して、撚線導体５５としてもよい。
【００５４】
その他の構造は、上記実施例１〜３と同様であるため説明を省略する。
【００５５】
本実施例４においても、上記実施例１〜３と同様の作用効果を発揮することができる。
【符号の説明】
【００５６】
１，２１，２２，３５，４５，５５  撚線導体
３  外層
１２  太径線
１３  中径線
１４  細径線
【図１】
0006381569.tif 000002
【図２】
0006381569.tif 000003
【図３】
0006381569.tif 000004
【図４】
0006381569.tif 000005
【図５】
0006381569.tif 000006
【図６】
0006381569.tif 000007
【図７】
0006381569.tif 000008
【図８】
0006381569.tif 000009